(57)【要約】  フリッカ測定装置は、フリッカの測定条件の下で測定対象物から得られる測定対象物の測光量を基にして、測定対象物に設定された複数の測定領域のそれぞれのフリッカ値を算出する第１の処理について、測定条件記憶部に予め記憶されている複数の測定条件のそれぞれに対して実行する第１の処理部と、第１の処理部によって算出された複数の測定領域のそれぞれのフリッカ値で構成されるデータと、測定条件と、を紐付けた紐付けデータを生成する第２の処理について、複数の測定条件のそれぞれに対して実行する第２の処理部と、第２の処理部によって生成された紐付けデータを、紐付けデータ記憶部に記憶させる第３の処理について、複数の測定条件のそれぞれに対して実行する第３の処理部と、を備える。
2020079946.tif 000002
【特許請求の範囲】
【請求項１】
フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行する第１の処理部と、
前記第１の処理部によって算出された複数の前記測定領域のそれぞれの前記フリッカ値で構成されるデータと、前記測定条件と、を紐付けた紐付けデータを生成する第２の処理について、複数の前記測定条件のそれぞれに対して実行する第２の処理部と、
前記第２の処理部によって生成された前記紐付けデータを、紐付けデータ記憶部に記憶させる第３の処理について、複数の前記測定条件のそれぞれに対して実行する第３の処理部と、を備えるフリッカ測定装置。
【請求項２】
前記フリッカ測定装置は、二次元撮像素子を含む撮影部を備える二次元フリッカ測定装置であり、
前記第１の処理部は、前記撮影部が前記測定対象物を撮影することにより得られる前記測定対象物の測光量を基にして、前記測定対象物に設定された複数の前記測定領域のぞれぞれの前記フリッカ値を算出する、請求項１に記載のフリッカ測定装置。
【請求項３】
前記測定条件は、
フリッカ測定用の第１の画像を前記測定対象物に表示させるのに用いられる表示条件と、
前記撮影部が前記第１の画像を表示している前記測定対象物を撮影して得られた第２の画像を基にして、前記フリッカ値を算出するのに用いられる算出条件と、を含む、請求項２に記載のフリッカ測定装置。
【請求項４】
前記算出条件は、複数の前記測定領域のそれぞれの位置およびサイズ、並びに、前記測定対象物に表示された前記第１の画像の撮影間隔および撮影枚数を含む、請求項３に記載のフリッカ測定装置。
【請求項５】
フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行する第１の処理ステップと、
前記第１の処理ステップによって算出された複数の前記測定領域のそれぞれの前記フリッカ値で構成されるデータと、前記測定条件と、を紐付けた紐付けデータを生成する第２の処理について、複数の前記測定条件のそれぞれに対して実行する第２の処理ステップと、
前記第２の処理ステップによって生成された前記紐付けデータを、紐付けデータ記憶部に記憶させる第３の処理について、複数の前記測定条件のそれぞれに対して実行する第３の処理ステップと、を備えるフリッカ測定方法。
【請求項６】
フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行する第１の処理ステップと、
前記第１の処理ステップによって算出された複数の前記測定領域のそれぞれの前記フリッカ値で構成されるデータと、前記測定条件と、を紐付けた紐付けデータを生成する第２の処理について、複数の前記測定条件のそれぞれに対して実行する第２の処理ステップと、
前記第２の処理ステップによって生成された前記紐付けデータを、紐付けデータ記憶部に記憶させる第３の処理について、複数の前記測定条件のそれぞれに対して実行する第３の処理ステップと、をコンピュータに実行させるフリッカ測定プログラム。
【請求項７】
紐付けデータ記憶部に記憶されている紐付けデータを基にして、フリッカの評価を支援するフリッカ評価支援装置であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援装置は、
複数の前記測定対象物のそれぞれから得られた、複数の前記測定条件のそれぞれに関する前記紐付けデータを基にして、複数の前記測定条件のそれぞれについて、前記フリッカ値の統計量を算出する算出部と、
複数の前記測定条件のそれぞれについて、前記算出部によって算出された前記統計量を示すグラフを生成する生成部と、
前記生成部によって生成された前記グラフを出力する出力部と、を備えるフリッカ評価支援装置。
【請求項８】
紐付けデータ記憶部に記憶されている紐付けデータを基にして、フリッカの評価を支援するフリッカ評価支援方法であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援方法は、
複数の前記測定対象物のそれぞれから得られた、複数の前記測定条件のそれぞれに関する前記紐付けデータを基にして、複数の前記測定条件のそれぞれについて、前記フリッカ値の統計量を算出する算出ステップと、
複数の前記測定条件のそれぞれについて、前記算出ステップによって算出された前記統計量を示すグラフを生成する生成ステップと、
前記生成ステップによって生成された前記グラフを出力する出力ステップと、を備えるフリッカ評価支援方法。
【請求項９】
紐付けデータ記憶部に記憶されている紐付けデータを基にして、フリッカの評価を支援するフリッカ評価支援プログラムであって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援プログラムは、
複数の前記測定対象物のそれぞれから得られた、複数の前記測定条件のそれぞれに関する前記紐付けデータを基にして、複数の前記測定条件のそれぞれについて、前記フリッカ値の統計量を算出する算出ステップと、
複数の前記測定条件のそれぞれについて、前記算出ステップによって算出された前記統計量を示すグラフを生成する生成ステップと、
前記生成ステップによって生成された前記グラフを出力する出力ステップと、をコンピュータに実行させるフリッカ評価支援プログラム。
【請求項１０】
紐付けデータ記憶部に記憶されている紐付けデータを基にして、フリッカの評価を支援するフリッカ評価支援装置であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援装置は、
複数の前記測定対象物のそれぞれから得られた、複数の前記測定条件のそれぞれに関する前記紐付けデータを基にして、複数の前記測定領域のそれぞれについて、前記フリッカ値の統計量を算出する算出部と、
複数の前記測定領域のそれぞれについて、前記算出部によって算出された前記統計量を示すグラフを生成する生成部と、
前記生成部によって生成された前記グラフを出力する出力部と、を備えるフリッカ評価支援装置。
【請求項１１】
紐付けデータ記憶部に記憶されている紐付けデータを基にして、フリッカの評価を支援するフリッカ評価支援方法であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援方法は、
複数の前記測定対象物のそれぞれから得られた、複数の前記測定条件のそれぞれに関する前記紐付けデータを基にして、複数の前記測定領域のそれぞれについて、前記フリッカ値の統計量を算出する算出ステップと、
複数の前記測定領域のそれぞれについて、前記算出ステップによって算出された前記統計量を示すグラフを生成する生成ステップと、
前記生成ステップによって生成された前記グラフを出力する出力ステップと、を備えるフリッカ評価支援方法。
【請求項１２】
紐付けデータ記憶部に記憶されている紐付けデータを基にして、フリッカの評価を支援するフリッカ評価支援プログラムであって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援プログラムは、
複数の前記測定対象物のそれぞれから得られた、複数の前記測定条件のそれぞれに関する前記紐付けデータを基にして、複数の前記測定領域のそれぞれについて、前記フリッカ値の統計量を算出する算出ステップと、
複数の前記測定領域のそれぞれについて、前記算出ステップによって算出された前記統計量を示すグラフを生成する生成ステップと、
前記生成ステップによって生成された前記グラフを出力する出力ステップと、をコンピュータに実行させるフリッカ評価支援プログラム。
【発明の詳細な説明】
【技術分野】
【０００１】
本発明は、例えば、液晶ディスプレイの画面のフリッカ値を測定する技術に関する。
【背景技術】
【０００２】
フリッカ測定装置として、スポット型のフリッカ測定装置と二次元フリッカ測定装置とがある。スポット型のフリッカ測定装置は、プローブを備えており、プローブが測定領域（スポット領域）に近づけられた状態で、測定領域のフリッカ値を測定する（例えば、特許文献１）。二次元フリッカ測定装置は、二次元撮像素子を備えており、二次元領域のフリッカ値を測定する（例えば、特許文献２）。【０００３】
ディスプレイの画面に発生するフリッカのムラを評価するために、ディスプレイの画面に設定された複数の測定領域のそれぞれのフリッカ値が測定される。二次元フリッカ測定装置によれば、二次元領域のフリッカ値を測定することができるので、１台の二次元フリッカ測定装置で、複数の測定領域のそれぞれのフリッカ値を一度に測定することができる。【０００４】
フリッカの測定条件が異なると、フリッカのムラが異なることがあるので、複数の測定条件の下で、フリッカのムラが評価されることが望ましい。しかしながら、この場合、管理すべきデータ（例えば、複数の測定条件のそれぞれの内容、ディスプレイ画面に設定された複数の測定領域のそれぞれについて、複数の測定条件のそれぞれの下で測定されたフリッカ値）が増えるので、データを効率的に管理する必要がある。
【先行技術文献】
【特許文献】
【０００５】
【特許文献１】特開２００２−３５０２８４号公報
【特許文献２】特開２００５−１０９５３５号公報
【発明の概要】
【０００６】
本発明の目的は、フリッカのムラの評価に必要なデータを効率的に管理することが可能なフリッカ測定装置、フリッカ測定方法およびフリッカ測定プログラムを提供することである。
【０００７】
本発明の他の目的は、フリッカのムラの評価に必要なデータを基にして、フリッカの評価を支援することができるフリッカ評価支援装置、フリッカ評価支援方法およびフリッカ評価支援プログラムを提供することである。
【０００８】
上述した本発明の目的を実現するために、本発明の一側面を反映したフリッカ測定装置は、第１の処理部と、第２の処理部と、第３の処理部と、を備える。前記第１の処理部は、フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行する。前記第２の処理部は、前記第１の処理部によって算出された複数の前記測定領域のそれぞれの前記フリッカ値で構成されるデータと、前記測定条件と、を紐付けた紐付けデータを生成する第２の処理について、複数の前記測定条件のそれぞれに対して実行する。前記第３の処理部は、前記第２の処理部によって生成された前記紐付けデータを、紐付けデータ記憶部に記憶させる第３の処理について、複数の前記測定条件のそれぞれに対して実行する。
【０００９】
発明の１又は複数の実施形態により与えられる利点及び特徴は以下に与えられる詳細な説明及び添付図面から十分に理解される。これら詳細な説明及び添付図面は、例としてのみ与えられるものであり本発明の限定の定義として意図されるものではない。
【図面の簡単な説明】
【００１０】
【図１】二次元フリッカ測定装置と複数のスマートフォンとの配置関係を説明する説明図である。
【図２】二次元フリッカ測定装置から見た複数のスマートフォンの平面模式図である。
【図３】実施形態に係る二次元フリッカ測定装置の構成を示すブロック図である。
【図４】測定条件リストの一例を説明する説明図である。
【図５】表示条件リストの一例を説明する説明図である。
【図６】算出条件リストの一例を説明する説明図である。
【図７】領域定義リストで定義された測定領域の一例を説明する説明図である。
【図８】９つのＤＵＴ画面のそれぞれに設定された５つの測定領域の位置と、撮影範囲Ｒの位置との関係の一例を示す二次元座標系を説明する説明図である。
【図９】９つのＤＵＴ画面のうちの１つのＤＵＴ画面に関する紐付けデータリストの一例を説明する説明図である。
【図１０】実施形態に係る二次元フリッカ測定装置がフリッカ値を測定する動作を説明するフローチャートである。
【図１１】測定条件（１）の下で実行されたＤＵＴ画面のフリッカ値の測定を説明するフローチャートである。
【図１２】５つの測定領域のそれぞれについて、フリッカ値の算出を説明する説明図である。
【図１３】変形例に係る二次元フリッカ測定装置の構成を示すブロック図である。
【図１４】第１変形例に係る二次元フリッカ測定装置に備えられるフリッカ評価支援装置の動作を説明するフローチャートである。
【図１５】第１変形例において、生成部によって生成されたグラフの一例を説明する説明図である。
【図１６】第２変形例に係る二次元フリッカ測定装置に備えられるフリッカ評価支援装置の動作を説明するフローチャートである。
【図１７】第２変形例において、生成部によって生成されたグラフの一例を説明する説明図である。
【発明を実施するための形態】
【００１１】
以下、図面を参照して、本発明の１又は複数の実施形態が説明される。しかし、発明の範囲は、開示された実施形態に限定されない。
【００１２】
各図において、同一符号を付した構成は、同一の構成であることを示し、その構成について、既に説明している内容については、その説明を省略する。本明細書において、個別の構成を指す場合にはハイフンを付した参照符号（例えば、測定領域１０−１）で示し、総称する場合にはハイフンを省略した参照符号（例えば、測定領域１０）で示す。
【００１３】
図１は、二次元フリッカ測定装置２と複数のスマートフォンＳＰとの配置関係を説明する説明図である。図２は、二次元フリッカ測定装置２から見た複数のスマートフォンＳＰの平面模式図である。スマートフォンＳＰに備えられる液晶カラーディスプレイ（ＤＵＴ＝Ｄｅｖｉｃｅ  Ｕｎｄｅｒ  Ｔｅｓｔ）が、測定対象物である。測定対象物は、画像を表示する機能を有しており、実施形態では、ＤＵＴの画面１（以下、ＤＵＴ画面１）を例にして説明する。
【００１４】
スマートフォン、タブレット端末等のモバイル端末に搭載される液晶ディスプレイは、家庭用電源で駆動される液晶ディスプレイと比べて、フリッカのムラが大きい。モバイル端末に搭載される液晶ディスプレイは、バッテリー駆動なので、バッテリーを長持ちさせるための液晶駆動方式、液晶構造等が採用されている。これらがフリッカのムラを大きくする原因となるのである。なお、測定対象物は、モバイル用端末に搭載される液晶ディスプレイに限らず、家庭用電源で駆動される液晶ディスプレイでもよい。
【００１５】
図１および図２を参照して、９台のスマートフォンＳＰがテーブル９１に行列状に並べられており、二次元フリッカ測定装置２に備えられる撮影部２１（図３）の撮影範囲Ｒ内に、９台のスマートフォンＳＰが配置されている。スマートフォンＳＰは、小型なので、９台のスマートフォンＳＰが並べられて、フリッカが一度に測定される。スマートフォンＳＰの台数が９を例にして説明しているが、これに限定されず、台数は、９以外の複数でもよいし、１でもよい。
【００１６】
テーブル９１の形状は矩形であり、テーブル９１は、第１側部９１１〜第４側部９１４を有する。第１側部９１１に上下方向に延びるリニアガイド９２が配置されている。二次元フリッカ測定装置２は、リニアガイド９２によって複数のスマートフォンＳＰの上方に配置されている。リニアガイド９２は、ガイドレール９２１と、ガイドレール９２１に沿って移動可能であり、二次元フリッカ測定装置２が固定されるブロック（不図示）と、を備える。これにより、二次元フリッカ測定装置２は、ガイドレール９２１に沿ってリニア方向に移動することが可能となる。
【００１７】
二次元フリッカ測定装置２は、測定者の指示に基づいて、ＤＵＴ画面１に複数の測定領域１０を設定する。ＤＵＴ画面１には、５つの測定領域１０が二次元に設定されている。測定領域１０−３がＤＵＴ画面１の中心に設定されており、測定領域１０−１，１０−２，１０−４，１０−５がＤＵＴ画面１の四隅に設定されている。この設定は一例である。９台のスマートフォンＳＰのそれぞれに備えられるＤＵＴ画面１に設定される複数の測定領域１０の位置は、それぞれ同じである。ＤＵＴ画面１に設定される測定領域１０の数は、複数であればよく、５に限定されない。隣り合う測定領域１０の間には、隙間が形成されているが、隙間が形成されていなくてもよい。測定領域１０の形状は、矩形であるが、これに限定されず、円形でもよい。
【００１８】
図３は、実施形態に係る二次元フリッカ測定装置２の構成を示すブロック図である。二次元フリッカ測定装置２は、撮影部２１と、制御処理部２２と、通信部２３と、操作部２４と、を備える。撮影部２１は、光学レンズ２１１と、二次元撮像素子２１２と、を備える。光学レンズ２１１は、ＤＵＴ画面１の全体からの光Ｌを収束する。光学レンズ２１１で収束された光Ｌは、二次元撮像素子２１２で受光される。二次元撮像素子２１２は、二次元の撮影領域を有する画像センサである（例えば、ＣＭＯＳセンサ、ＣＣＤセンサ）。二次元撮像素子２１２は、画像を表示したＤＵＴ画面１を撮影し、撮影した画像の輝度信号ＳＧを出力する。輝度信号ＳＧは、測光量を示す信号の具体例である。
【００１９】
輝度は、視感度曲線Ｖ（λ）の分光感度特性を持つ二次元撮像素子２１２が測定したＤＵＴ画面１の光強度である。輝度信号ＳＧは、この光強度を示す信号である。輝度信号ＳＧを例にして説明するが、画像情報信号でもよい。画像情報信号は、任意の分光感度特性を持つ二次元撮像素子２１２がＤＵＴ画面１を撮影することにより、二次元撮像素子２１２が生成する光強度信号（ＲＡＷ画像データ）である。測光量は、輝度および画像情報信号を総称する物理量である。
【００２０】
制御処理部２２は、二次元フリッカ測定装置２の動作に必要な各種の制御および処理を実行する。制御処理部２２は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、および、ＨＤＤ（Ｈａｒｄ  Ｄｉｓｋ  Ｄｒｉｖｅ）等のハードウェアプロセッサ、並びに、制御処理部２２の機能を実行するためのプログラムおよびデータ等によって実現される。
【００２１】
制御処理部２２は、機能ブロックとして、制御部２２１と、測定条件記憶部２２２と、第１の処理部２２３と、第２の処理部２２４と、第３の処理部２２５と、紐付けデータ記憶部２２６と、信号生成部２２７と、を備える。
【００２２】
制御部２２１は、制御処理部２２の各部（測定条件記憶部２２２、第１の処理部２２３、第２の処理部２２４、第３の処理部２２５、紐付けデータ記憶部２２６、信号生成部２２７）を、当該各部の機能に応じてそれぞれ制御し、通信部２３および操作部２４を制御するための装置である。
【００２３】
測定条件記憶部２２２は、測定条件リスト２２２ａ、表示条件リスト２２２ｂおよび算出条件リスト２２２ｃを予め記憶している。図４は、測定条件リスト２２２ａの一例を説明する説明図である。測定条件リスト２２２ａは、複数の測定条件により構成される。測定条件が複数あるので、各測定条件にＩＤ（ｉｄｅｎｔｉｆｉｃａｔｉｏｎ）が付与されている。例えば、測定条件（１）には、測定条件ＩＤ６−１が付与され、測定条件（２）には、測定条件ＩＤ６−２が付与されている。
【００２４】
複数の測定条件のそれぞれは、測定条件ＩＤ６、表示条件ＩＤ７および算出条件ＩＤ８により構成される。例えば、測定条件（１）は、測定条件ＩＤ６−１、表示条件ＩＤ７−１および算出条件ＩＤ８−１により構成され、測定条件（２）は、測定条件ＩＤ６−２、表示条件ＩＤ７−２および算出条件ＩＤ８−２により構成される。
【００２５】
図５は、表示条件リスト２２２ｂの一例を説明する説明図である。表示条件リスト２２２ｂは、複数の表示条件により構成される。表示条件が複数あるので、各表示条件にＩＤが付与されている。例えば、表示条件（１）には、表示条件ＩＤ７−１が付与され、表示条件（２）には、表示条件ＩＤ７−２が付与されている。
【００２６】
表示条件は、フリッカ測定用の表示パターン（第１の画像）をＤＵＴ画面１（測定対象物）に表示させるのに用いられる条件である。ＤＵＴ画面１は、ＴＦＴ（Ｔｈｉｎ  Ｆｉｌｍ  Ｔｒａｎｓｉｓｔｏｒ）液晶パネルとする。従って、ＤＵＴ画面１は、共通電極（コモン電極）を備える。なお、ＤＵＴ画面１は、ＴＦＴ液晶パネルのような液晶画面に限らず、例えば、ＯＬＥＤ画面でもよい。
【００２７】
表示条件は、表示条件ＩＤ７、駆動周波数、共通電圧および表示パターン定義リストにより構成される。表示条件ＩＤ７は、この表示条件に付与されたＩＤである。駆動周波数は、ＤＵＴ画面１の駆動周波数である。共通電圧は、ＤＵＴ画面１の共通電極に印加される電圧である。表示パターン定義リストは、ＤＵＴ画面１に表示される表示パターンの定義である。ＤＵＴ画面１の各画素のＲ値、Ｇ値、Ｂ値を、このリストで示される値にすることにより、このリストで定義される表示パターンをＤＵＴ画面１に表示させることができる。
【００２８】
図６は、算出条件リスト２２２ｃの一例を説明する説明図である。算出条件リスト２２２ｃは、複数の算出条件により構成される。算出条件が複数あるので、各算出条件にＩＤが付与されている。例えば、算出条件（１）には、算出条件ＩＤ８−１が付与され、算出条件（２）には、算出条件ＩＤ８−２が付与されている。
【００２９】
算出条件は、撮影部２１（図３）が表示パターン（第１の画像）を表示しているＤＵＴ画面１を撮影して得られた画像（第２の画像）を基にして、フリッカ値を算出するのに用いられる条件である。算出条件は、算出条件ＩＤ８、撮影条件および領域定義リストにより構成される。算出条件ＩＤ８は、この算出条件に付与されたＩＤである。
【００３０】
撮影条件は、撮影部２１がＤＵＴ画面１に表示されている表示パターンを撮影する間隔および枚数である。測定者は、フリッカ値の測定精度とフリッカ値の測定時間とを考慮して、これらの設定をする。例えば、撮影間隔が短く、かつ、撮影枚数が多いと、フリッカ値の測定精度は向上するが、フリッカ値の測定時間は長くなる。
【００３１】
領域定義リストは、ＤＵＴ画面１（図２）の中心を原点とした座標において、５つの測定領域１０のそれぞれの位置を定義したリストである。領域定義リストは、基準座標、高さおよび幅により構成される。基準座標により、測定領域１０の位置が定まる。高さと幅とにより、測定領域１０のサイズが定まる。領域１０−１〜１０−５のそれぞれの高さｈ１〜ｈ５は、同じ値でもよいし、異なる値でもよい。領域１０−１〜１０−５のそれぞれの幅ｗ１〜ｗ５は、同じ値でもよいし、異なる値でもよい。
【００３２】
領域定義リストで定義される測定領域１０について、測定領域１０−１を例にして説明する。図７は、領域定義リストで定義された測定領域１０−１の一例を説明する説明図である。基準座標（ｘ１，ｙ１）が測定領域１０−１の左上角を規定する。座標（ｘ１，ｙ１−ｈ１）が測定領域１０−１の左下角を規定する。座標（ｘ１＋ｗ１，ｙ１）が測定領域１０−１の右上角を規定する。座標（ｘ１＋ｗ１，ｙ１−ｈ１）が測定領域１０−１の右下角を規定する。
【００３３】
図３を参照して、制御部２２１は、測定条件記憶部２２２に記憶されている測定条件リスト２２２ａ（図４）に含まれる複数の測定条件の中からいずれかの測定条件を読み出す。制御部２２１は、読み出した測定条件に含まれる表示条件ＩＤ７が割り当てられている表示条件（図５）を測定条件記憶部２２２から読み出す。制御部２２１は、読み出した測定条件に含まれる算出条件ＩＤ８が割り当てられている算出条件（図６）を測定条件記憶部２２２から読み出す。
【００３４】
図２および図３を参照して、第１の処理部２２３は、制御部２２１によって読み出された測定条件の下で、撮影部２１がＤＵＴ画面１を撮影することにより得られるＤＵＴ画面１の測光量を基にして、ＤＵＴ画面１に設定された５つの測定領域１０のそれぞれのフリッカ値を算出する第１の処理について、複数の測定条件（図４）のそれぞれに対して実行する。撮影部２１は、９つのＤＵＴ画面１を撮影するので、第１の処理部２２３は、９つのＤＵＴ画面１のそれぞれに対して、第１の処理を実行する。このように第１の処理部２２３は、フリッカの測定条件の下で測定対象物から得られる測定対象物の測光量を基にして、測定対象物に設定された複数の測定領域１０のそれぞれのフリッカ値を算出する第１の処理について、測定条件記憶部２２２に予め記憶されている複数の測定条件のそれぞれに対して実行する。
【００３５】
第１の処理について説明する。第１の処理部２２３は、撮影範囲Ｒを示す座標データを予め記憶しており、そして、撮影範囲Ｒに９台のスマートフォンＳＰが配置された状態で、９台のスマートフォンＳＰのそれぞれに搭載されたＤＵＴ画面１（言い換えれば、ＤＵＴ画面１−１〜１−９）の中心の座標データを予め記憶している。第１の処理部２２３は、これらの座標データおよび領域定義リスト（図６）を基にして、ＤＵＴ画面１−１〜１−９のそれぞれに設定された測定領域１０−１〜１０−５の位置と、撮影範囲Ｒの位置との関係を示す二次元座標系を生成する。図８は、この二次元座標系の一例を説明する説明図である。
【００３６】
図２、図３および図８を参照して、第１の処理部２２３は、スマートフォンＳＰ−１に搭載されたＤＵＴ画面１−１の中心Ｃ−１の座標を原点にして、ＤＵＴ画面１−１に設定される５つの測定領域１０（測定領域１０−１〜１０−５）のそれぞれの位置を決定し、スマートフォンＳＰ−２に搭載されたＤＵＴ画面１−２の中心Ｃ−２の座標を原点にして、ＤＵＴ画面１−２に設定される５つの測定領域１０のそれぞれの位置を決定する。第１の処理部２２３は、スマートフォンＳＰ−３〜ＳＰ−９に搭載されるＤＵＴ画面１−３〜１−９に対しても同様の決定をする。これにより、撮影部２１が撮影した画像（第２の画像）上において、９つのＤＵＴ画面１に設定された５つの測定領域１０の位置が決定される。
【００３７】
図２および図３を参照して、第１の処理部２２３は、撮影部２１がＤＵＴ画面１−１〜１−９を撮影することにより得られるＤＵＴ画面１−１〜１−９の測光量を基にして、ＤＵＴ画面１−１〜１−９のそれぞれに設定された測定領域１０−１〜１０−５のぞれぞれのフリッカ値を算出する。フリッカ値の算出方式として、例えば、コントラスト方式とＪＥＩＴＡ（Ｊａｐａｎ  Ｅｌｅｃｔｒｏｎｉｃｓ  ａｎｄ  Ｉｎｆｏｒｍａｔｉｏｎ  Ｔｅｃｈｎｏｌｏｇｙ  Ｉｎｄｕｓｔｒｉｅｓ  Ａｓｓｏｃｉａｔｉｏｎ）方式とがある。第１の処理部２２３は、コントラスト方式、ＪＥＩＴＡ方式のいずれでもフリッカ値を算出することができる。なお、これらの方式以外でも、実施形態は適用することができる。
【００３８】
第２の処理部２２４は、第１の処理部２２３によって算出された５つの測定領域１０のそれぞれのフリッカ値で構成されるデータと、制御部２２１によって読み出された測定条件と、を紐付けた紐付けデータ２５を生成する第２の処理について、複数の測定条件（図４）のそれぞれに対して実行する。撮影部２１は、９つのＤＵＴ画面１を撮影するので、第２の処理部２２４は、９つのＤＵＴ画面１のそれぞれに対して、第２の処理を実行する。
【００３９】
第２の処理部２２４は、９つのＤＵＴ画面１のそれぞれについて、紐付けデータリスト２５１を生成する。紐付けデータリスト２５１について、ＤＵＴ画面１−１の場合を例にして説明する。図９は、ＤＵＴ画面１−１に関する紐付けデータリスト２５１−１の一例を説明する説明図である。紐付けデータリスト２５１−１は、ＤＵＴ画面１−１を搭載しているスマートフォンＳＰ−１のＩＤと、複数の紐付けデータ２５とにより構成される。複数の紐付けデータ２５は、複数の測定条件に対応する。例えば、紐付けデータ２５−１は、測定条件ＩＤ６−１の下で測定された、ＤＵＴ画面１−１に設定された測定領域１０−１〜１０−５のそれぞれのフリッカ値である。
【００４０】
第３の処理部２２５は、９つのＤＵＴ画面１のそれぞれの紐付けデータリスト２５１を、紐付けデータ記憶部２２６に記憶させる。紐付けデータリスト２５１は、複数の紐付けデータ２５により構成される。このように、第３の処理部２２５は、第２の処理部２２４によって生成された、ＤＵＴ画面１に関する紐付けデータ２５を、紐付けデータ記憶部２２６に記憶させる第３の処理について、複数の測定条件（図４）のそれぞれに対して実行する。
【００４１】
信号生成部２２７は、表示パターン信号を生成する。制御部２２１は、読み出した測定条件（図４）に含まれる表示条件ＩＤ７が割り当てられた表示条件（図５）を、測定条件記憶部２２２から読み出し、信号生成部２２７に、その表示条件に含まれる表示パターン定義リストに従った表示パターン信号を生成させる。
【００４２】
通信部２３は、二次元フリッカ測定装置２が外部装置と通信する通信インターフェイスである。通信部２３は、９つのＤＵＴ画面１のそれぞれと通信ケーブルによって接続されている。通信ケーブルは、例えば、ＵＳＢ（Ｕｎｉｖｅｒｓａｌ  Ｓｅｒｉａｌ  Ｂｕｓ）ケーブルである。制御部２２１は、通信部２３に、信号生成部２２７によって生成された表示パターン信号を、９台のスマートフォンＳＰのそれぞれに送信させる。これにより、図２に示すＤＵＴ画面１−１〜１−９のそれぞれに表示パターン（第１の画像）が表示される。
【００４３】
操作部２４は、タッチパネル、ハードキー等により実現される。操作部２４は、光学レンズ２１１のピント合わせ、フリッカ値の測定命令の入力等に用いられる。
【００４４】
なお、制御処理部２２の機能の一部又は全部は、ＣＰＵによる処理に替えて、又は、これと共に、ＦＰＧＡ（ｆｉｅｌｄ  ｐｒｏｇｒａｍｍａｂｌｅ  ｇａｔｅ  ａｒｒａｙ）による処理によって実現されてもよい。又、同様に、制御処理部２２の機能の一部又は全部は、ソフトウェアによる処理に替えて、又は、これと共に、専用のハードウェア回路による処理によって実現されてもよい。
【００４５】
制御処理部２２は、図３に示す複数の要素によって構成される。従って、制御処理部２２を実現するハードウェアの１つであるＨＤＤには、これらの要素を実現するためのプログラムが格納されている。すなわち、このＨＤＤには、制御部２２１、第１の処理部２２３、第２の処理部２２４、第３の処理部２２５、信号生成部２２７のそれぞれを実現するためのプログラムが格納されている。これらのプログラムは、制御プログラム、第１の処理プログラム、第２の処理プログラム、第３の処理プログラム、信号生成プログラムと表現される。
【００４６】
第１の処理プログラム、第２の処理プログラム、第３の処理プログラムは、要素の定義を用いて表現される。第１の処理部２２３および第１の処理プログラムを例にして説明する。第１の処理部２２３は、フリッカの測定条件の下で測定対象物から得られる測定対象物の測光量を基にして、測定対象物に設定された複数の測定領域１０のそれぞれのフリッカ値を算出する第１の処理について、測定条件記憶部２２２に予め記憶されている複数の測定条件のそれぞれに対して実行する。第１の処理プログラムは、フリッカの測定条件の下で測定対象物から得られる測定対象物の測光量を基にして、測定対象物に設定された複数の測定領域１０のそれぞれのフリッカ値を算出する第１の処理について、測定条件記憶部２２２に予め記憶されている複数の測定条件のそれぞれに対して実行するプログラムである。
【００４７】
制御処理部２２を実現するハードウェアの一つであるＣＰＵによって実行されるこれらのプログラム（制御プログラム、第１の処理プログラム、第２の処理プログラム、第３の処理プログラム、信号生成プログラム）のフローチャートが、後で説明する図１０および図１１である。
【００４８】
実施形態に係る二次元フリッカ測定装置２がフリッカ値を測定する動作について説明する。図１０は、この動作を説明するフローチャートである。図２、図３および図１０を参照して、９台のスマートフォンＳＰがテーブル９１（図１）にセットされた状態で、測定者は、操作部２４を操作して、フリッカ値の測定命令を制御処理部２２に入力する（ステップＳ１）。
【００４９】
制御部２２１は、ｎ＝１を設定し、図４に示す複数の測定条件のうち、ｎ番目の測定条件を測定条件記憶部２２２から読み出す（ステップＳ２）。ここでは、１番目の測定条件（測定条件（１））が読み出される。
【００５０】
制御部２２１は、測定条件（１）に含まれる表示条件ＩＤ７−１が割り当てられた、図５に示す表示条件（１）を、測定条件記憶部２２２から読み出す（ステップＳ３）。
【００５１】
制御部２２１は、信号生成部２２７に、表示条件（１）に含まれる表示パターン定義リストに従った表示パターン信号を生成させる。制御部２２１は、通信部２３に対して、表示条件（１）に含まれる駆動周波数を示す信号、共通電圧を示す信号、および、表示パターン信号を送信する命令をする。通信部２３は、９台のスマートフォンＳＰのそれぞれに、これらの信号を送信する。これにより、９台のスマートフォンＳＰは、それぞれ、表示条件（１）の下でＤＵＴ画面１−１〜１−９を駆動させる。
【００５２】
制御部２２１は、測定条件（１）に含まれる算出条件ＩＤ８−１が割り当てられた、図６に示す算出条件（１）を、測定条件記憶部２２２から読み出す（ステップＳ４）。
【００５３】
制御部２２１は、撮影部２１に対して、算出条件（１）に含まれる撮影条件の下で、９台のスマートフォンＳＰを撮影させる命令をする。撮影部２１は、算出条件（１）の撮影条件の下で、９台のスマートフォンＳＰを撮影する（ステップＳ５）。上述したように、９台のスマートフォンＳＰは、それぞれ、表示条件（１）の下でＤＵＴ画面１−１〜１−９を駆動させている。
【００５４】
制御部２２１は、第１の処理部２２３に対して、算出条件（１）の撮影条件の下で撮影された９台のスマートフォンＳＰの画像、および、算出条件（１）に含まれる領域定義リストを基にして、９台のスマートフォンＳＰのそれぞれに搭載されたＤＵＴ画面１（ＤＵＴ画面１−１〜１−９）のフリッカ値を測定する命令をする。第１の処理部２２３は、この命令に従って、ＤＵＴ画面１−１〜１−９のフリッカ値を測定する（ステップＳ６）。この測定の詳細は、後で説明する。
【００５５】
制御部２２１は、図４に示す全ての測定条件の下で（言い換えれば、複数の測定条件のそれぞれの下で）、フリッカ値が測定されたか否かを判断する（ステップＳ７）。制御部２２１は、全ての測定条件の下で、フリッカ値が測定されていないと判断したとき（ステップＳ７でＮｏ）、ｎ＝ｎ＋１を設定する（ステップＳ８）。これにより、次の測定条件（ここでは、測定条件（２））について、ステップＳ２〜ステップＳ６の処理がされる。
【００５６】
制御部２２１は、全ての測定条件の下で、フリッカ値が測定されたと判断したとき（ステップＳ７でＹｅｓ）、９台のスマートフォンＳＰのそれぞれに搭載されたＤＵＴ画面１−１〜１−９について、各ＤＵＴ画面１の紐付けデータリスト２５１を生成する命令をする。第２の処理部２２４は、この命令に従って、ＤＵＴ画面１−１〜１−９のそれぞれの紐付けデータリスト２５１（紐付けデータリスト２５１−１〜２５１−９）を生成する（ステップＳ９）。既に説明したように、図９は、ＤＵＴ画面１−１の紐付けデータリスト２５１−１の一例を示す。
【００５７】
制御部２２１は、紐付けデータリスト２５１−１〜２５１−９を紐付けデータ記憶部２２６に記憶させる命令をする。第３の処理部２２５は、この命令に従って、紐付けデータリスト２５１−１〜２５１−９を紐付けデータ記憶部２２６に記憶させる（ステップＳ１０）。
【００５８】
フリッカ値の測定（ステップＳ６）を詳しく説明する。この測定について、測定条件（１）の下で実行されたＤＵＴ画面１−１のフリッカ値の測定を例にして説明する。図１１は、この測定を説明するフローチャートである。第１の処理部２２３は、ｉ＝１、ｊ＝１を設定する。ｉは、撮影部２１が撮影した画像（第２の画像）の順番を示す。ｊは、測定領域１０−１〜１０−５の順番を示す。第１の処理部２２３は、図６に示す算出条件（１）に含まれる撮影条件の下で撮影して得られた、時系列に並ぶ複数の画像（第２の画像）のうち、ｉ番目の画像を取得する（ステップＳ２１）。ここでは、１番目の画像（第２の画像）が取得される。１番目の画像は、先頭の画像である。撮影部２１は、９台のスマートフォンＳＰの動画を撮影しているので、ｉ番目の画像は、ｉ番目のフレームを意味する。
【００５９】
第１の処理部２２３は、ステップＳ２１で取得された画像に含まれるｊ番目の測定領域１０を構成する全画素の輝度値を取得する（ステップＳ２２）。ここでは、１番目の測定領域１０（測定領域１０−１）が対象となる。
【００６０】
第１の処理部２２３は、ステップＳ２２で取得された輝度値の代表値を取得する（ステップＳ２３）。輝度値の代表値とは、当該測定領域１０の輝度値について、統計上の傾向を示す値である。輝度値の代表値は、例えば、当該測定領域１０を構成する全画素の輝度値の平均値である。なお、二次元撮像素子２１２上の位置に応じて感度のばらつき、熱ノイズが大きい場合、例えば、中央値を輝度値の代表値にしてもよい。
【００６１】
第１の処理部２２３は、測定領域１０−１〜１０−５の全てについて、輝度値の代表値を取得したか否かを判断する（ステップＳ２４）。第１の処理部２２３は、測定領域１０−１〜１０−５の全てについて、輝度値の代表値を取得していないと判断したとき（ステップＳ２４でＮｏ）、ｊ＝ｊ＋１を設定する（ステップＳ２５）。これにより、次の測定領域１０（ここでは、測定領域１０−２）について、ステップＳ２１〜ステップＳ２４の処理がされる。
【００６２】
第１の処理部２２３は、測定領域１０−１〜１０−５の全てについて、輝度値の代表値を取得したと判断したとき（ステップＳ２４でＹｅｓ）、上述した時系列に並ぶ複数の画像（第２の画像）の全てについて、ステップＳ２１〜ステップＳ２４の処理がされたか否かを判断する（ステップＳ２６）。
【００６３】
第１の処理部２２３は、時系列に並ぶ複数の画像の全てについて、ステップＳ２１〜ステップＳ２４の処理がされていないと判断したとき（ステップＳ２６でＮｏ）、ｉ＝ｉ＋１を設定する（ステップＳ２７）。これにより、次の画像について、ステップＳ２１〜ステップＳ２６の処理がされる。
【００６４】
第１の処理部２２３は、時系列に並ぶ複数の画像の全てについて、ステップＳ２１〜ステップＳ２４の処理がされたと判断したとき（ステップＳ２６でＹｅｓ）、ｊ＝１を設定し、ｊ番目の測定領域１０のフリッカ値を算出する（ステップＳ２８）。図１２は、測定領域１０−１〜１０−５のそれぞれについて、フリッカ値の算出を説明する説明図である。１番目の測定領域１０（測定領域１０−１）を例にしてフリッカ値の算出について、簡単に説明する。第１の処理部２２３は、１番目〜最後の画像（第２の画像）のそれぞれから得られた測定領域１０−１の輝度値の代表値（すなわち、１番目の画像から得られた測定領域１０−１の輝度値の代表値、２番目の画像から得られた測定領域１０−１の輝度値の代表値、・・・、最後の画像から得られた測定領域１０−１の輝度値の代表値）を用いて、測定領域１０−１のフリッカ値を算出する。１番目〜最後の画像の数は、撮影枚数である。
【００６５】
第１の処理部２２３は、測定領域１０−１〜１０−５の全てについて、フリッカ値を算出したか否かを判断する（ステップＳ２９）。第１の処理部２２３は、測定領域１０−１〜１０−５の全てについて、フリッカ値を算出していないと判断したとき（ステップＳ２９でＮｏ）、ｊ＝ｊ＋１を設定する（ステップＳ３０）。これにより、次の測定領域１０（ここでは、測定領域１０−２）について、ステップＳ２８〜ステップＳ２９の処理がされる。
【００６６】
第１の処理部２２３は、測定領域１０−１〜１０−５の全てについて、フリッカ値を算出したと判断したとき（ステップＳ２９でＹｅｓ）、測定条件（１）の下で実行されたＤＵＴ画面１−１のフリッカ値の測定が終了する。
【００６７】
実施形態の主な効果を説明する。紐付けデータ２５（図９）は、フリッカの測定条件の下で測定された、ＤＵＴ画面１に設定された測定領域１０−１〜１０−５のそれぞれのフリッカ値と、その測定条件と、を紐付けたデータである。実施形態に係る二次元フリッカ測定装置２は、複数の測定条件のそれぞれについて、紐付けデータ２５を生成し、これらの紐付けデータ２５を紐付けデータ記憶部２２６に記憶させる。従って、実施形態に係る二次元フリッカ測定装置２によれば、フリッカのムラの評価に必要なデータが増えても、これを効率的に管理することができる。
【００６８】
実施形態の変形例を説明する。図１３は、変形例に係る二次元フリッカ測定装置２ａの構成を示すブロック図である。二次元フリッカ測定装置２ａは、図３に示す実施形態に係る二次元フリッカ測定装置２を前提とし、制御処理部２２がフリッカ評価支援装置２２８を備える。実施形態は、同一機種（言い換えれば、同一モデル）の多数のＤＵＴ画面１について、図１０に示す処理をすることにより、これらのＤＵＴ画面１に関する紐付けデータリスト２５１を紐付けデータ記憶部２２６に記憶させる。同一機種のＤＵＴ画面１の数が、例えば、１０００のとき、紐付けデータ記憶部２２６は、１０００個の紐付けデータリスト２５１を記憶している。変形例は、これらのＤＵＴ画面１に関する紐付けデータリスト２５１を用いて、フリッカ値の統計を求める。
【００６９】
フリッカ評価支援装置２２８は、二次元フリッカ測定装置２ａに備えられているが、二次元フリッカ測定装置２ａから独立した装置でもよい。この場合、フリッカ評価支援装置２２８は、二次元フリッカ測定装置２ａに備えられる紐付けデータ記憶部２２６に記憶されている紐付けデータリスト２５１に含まれる紐付けデータ２５を読み出して、フリッカ値の統計を求める。
【００７０】
フリッカ評価支援装置２２８は、算出部２２８１と、生成部２２８２と、出力部２２８３と、を備える。算出部２２８１は、フリッカ値の統計量（統計値）を算出する。生成部２２８２は、フリッカ値の統計量を示すグラフを生成する。グラフは、例えば、箱ひげ図でもよいし、Ｘｂａｒ−Ｒ管理図でもよい。生成部２２８２は、統計をとる目的に応じて、グラフの種類を変えてもよい。出力部２２８３は、グラフを出力する。出力部２２８３は、グラフを表示部に表示させる表示制御部でもよいし、グラフを印刷する印刷部でもよい。出力部２２８３が表示制御部のとき、表示制御部は、操作部２４に備えられるディスプレイ（表示部）にグラフを表示させてもよいし、二次元フリッカ測定装置２ａと通信可能なコンピュータ装置のディスプレイ（表示部）にグラフを表示させてもよい。出力部２２８３が印刷部のとき、二次元フリッカ測定装置２ａと通信可能なプリンタ（印刷部）が、グラフを印刷する。
【００７１】
変形例には、第１変形例と第２変形例とがある。第１変形例から説明する。図１３を参照して、算出部２２８１は、同一機種の多数のＤＵＴ画面１（複数のＤＵＴ画面１）のそれぞれから得られた、複数の測定条件（図４）のそれぞれに関する紐付けデータリスト２５１に含まれる紐付けデータ２５（図９）を基にして、複数の測定条件のそれぞれについて、フリッカ値の統計量を算出する。生成部２２８２は、複数の測定条件のそれぞれについて、算出部２２８１によって算出されたフリッカ値の統計量を示すグラフを生成する。出力部２２８３は、生成部２２８２によって生成されたグラフを出力する。
【００７２】
制御処理部２２を実現するハードウェアの１つであるＨＤＤには、算出部２２８１、生成部２２８２、出力部２２８３のそれぞれを実現するためのプログラムが格納されている。これらのプログラムは、算出プログラム、生成プログラム、出力プログラムと表現される。これらのプログラムは、算出部２２８１、生成部２２８２、出力部２２８３の定義を用いて表現される。算出部２２８１および算出プログラムを例にして説明する。算出部２２８１は、上述した通りである。算出プログラムは、複数のＤＵＴ画面１のそれぞれから得られた、複数の測定条件のそれぞれに関する紐付けデータリスト２５１に含まれる紐付けデータ２５を基にして、複数の測定条件のそれぞれについて、フリッカ値の統計量を算出するプログラムである。制御処理部２２を実現するハードウェアの一つであるＣＰＵによって実行されるこれらのプログラム（算出プログラム、生成プログラム、出力プログラム）のフローチャートが、後で説明する図１４である。以上説明したことは、後で説明する第２変形例でも言えることである。
【００７３】
第１変形例に係る二次元フリッカ測定装置２ａに備えられるフリッカ評価支援装置２２８の動作を説明する。図１４は、この動作を説明するフローチャートである。図１３および図１４を参照して、算出部２２８１は、ｎ＝１を設定し、紐付けデータ記憶部２２６に記憶されている紐付けデータリスト２５１の中から、ｎ番目の測定条件（図４、図９）に関する紐付けデータ２５を取得する（ステップＳ４１）。ここでは、算出部２２８１は、１番目の測定条件（測定条件（１））に関する紐付けデータ２５を取得する。ｎ番目の測定条件に関する紐付けデータ２５とは、ｎ番目の測定条件に割り当てられた測定条件ＩＤ６と、測定領域１０−１〜１０−５のそれぞれのフリッカ値とが紐付けられたデータである。同一機種のＤＵＴ画面１の数が、例えば、１０００のとき、ｎ番目の測定条件に関する紐付けデータ２５の数は、１０００となる。
【００７４】
算出部２２８１は、取得した紐付けデータ２５に含まれるフリッカ値（ここでは、測定領域１０−１〜１０−５の区別はされない）を用いて、ｎ番目の測定条件に関するフリッカ値の統計量（例えば、フリッカ値の最小値、フリッカ値の第１四分位、フリッカ値の中央値（第２四分位）、フリッカ値の第３四分位、フリッカ値の最大値）を算出する（ステップＳ４２）。ここでは、１番目の測定条件（測定条件（１））に関するフリッカ値の統計量が算出される。
【００７５】
算出部２２８１は、複数の測定条件（図４）の全てについて、フリッカ値の統計量を算出したか否かを判断する（ステップＳ４３）。算出部２２８１は、複数の測定条件の全てについて、フリッカ値の統計量を算出していないと判断したとき（ステップＳ４３でＮｏ）、ｎ＝ｎ＋１を設定する（ステップＳ４４）。これにより、次の測定条件について、ステップＳ４１〜ステップＳ４３の処理がされる。ここでは、２番目の測定条件（測定条件（２））が対象となる。
【００７６】
算出部２２８１は、複数の測定条件の全てについて、フリッカ値の統計量を算出したと判断したとき（ステップＳ４３でＹｅｓ）、生成部２２８２は、複数の測定条件のそれぞれの下で測定されたフリッカ値の統計量を示すグラフを生成する（ステップＳ４５）。出力部２２８３は、生成部２２８２によって生成されたグラフを出力する（ステップＳ４６）。
【００７７】
図１５は、第１変形例において、生成部２２８２によって生成されたグラフの一例を説明する説明図である。このグラフは、箱ひげ図である。複数の測定条件は、３つの測定条件とする。図１５を参照して、測定条件が、測定条件（１）、測定条件（２）、測定条件（３）と変化するに従って、フリッカ値の中央値の変化量に対して、フリッカ値の最大値の変化量が大きくなっている。これにより、ある特定の測定領域１０のフリッカ値が大きいことが分かる。
【００７８】
第１変形例によれば、複数の測定条件のそれぞれについて、フリッカ値の統計量を示すグラフを出力する。従って、ＤＵＴ画面１の開発者、設計者、製造者等は、これを参考にして、ＤＵＴ画面１の開発、設計、製造等をすることができる。
【００７９】
第２変形例を説明する。第１変形例は、複数の測定条件のそれぞれに関するフリッカ値の統計量を求めるが、第２変形例は、測定領域１０−１〜１０−５（複数の測定領域１０）のそれぞれに関するフリッカ値の統計量を求める。第２変形例は、測定領域１０−１〜１０−５の定義が固定されるので、複数の測定条件（図４）は、算出条件が共通となり、表示条件が異なる。例えば、複数の測定条件のそれぞれの算出条件は、算出条件（１）である。
【００８０】
図１３を参照して、算出部２２８１は、同一機種の多数のＤＵＴ画面１（複数のＤＵＴ画面１）のそれぞれから得られた、複数の測定条件（図４）のそれぞれに関する紐付けデータリスト２５１に含まれる紐付けデータ２５を基にして、測定領域１０−１〜１０−５のそれぞれについて、フリッカ値の統計量を算出する。生成部２２８２は、測定領域１０−１〜１０−５のそれぞれについて、算出部２２８１によって算出されたフリッカ値の統計量を示すグラフを生成する。出力部２２８３は、生成部２２８２によって生成されたグラフを出力する。
【００８１】
第２変形例に係る二次元フリッカ測定装置２ａに備えられるフリッカ評価支援装置２２８の動作を説明する。図１６は、この動作を説明するフローチャートである。ｊは、測定領域１０の番号を示し、ｎは、測定条件の番号を示す。図１３および図１６を参照して、算出部２２８１は、ｊ＝１、ｎ＝１を設定し、紐付けデータ記憶部２２６に記憶されている紐付けデータリスト２５１の中から、ｎ番目の測定条件の下で測定されたｊ番目の測定領域１０のフリッカ値を取得する（ステップＳ５１）。ここでは、算出部２２８１は、１番目の測定条件の下で測定された１番目の測定領域１０（測定領域１０−１）のフリッカ値を取得する。
【００８２】
算出部２２８１は、複数の測定条件の全てについて、ｊ番目の測定領域１０のフリッカ値を取得したか否かを判断する（ステップＳ５２）。ここでは、１番目の測定領域１０（測定領域１０−１）が対象となる。算出部２２８１は、複数の測定条件の全てについて、ｊ番目の測定領域１０のフリッカ値を取得していないと判断したとき（ステップＳ５２でＮｏ）、ｎ＝ｎ＋１を設定する（ステップＳ５３）。これにより、次の測定条件について、ステップＳ５１〜ステップＳ５２の処理がされる。ここでは、２番目の測定条件が対象となる。
【００８３】
算出部２２８１は、複数の測定条件の全てについて、ｊ番目の測定領域１０のフリッカ値を取得したと判断したとき（ステップＳ５２でＹｅｓ）、これまでに取得したフリッカ値を基にして、ｊ番目の測定領域１０に関するフリッカ値の統計量を算出する（ステップＳ５４）。ここでは、１番目の測定領域１０（測定領域１０−１）が対象となる。
【００８４】
算出部２２８１は、測定領域１０−１〜１０−５の全てについて、フリッカ値の統計量を算出したか否かを判断する（ステップＳ５５）。算出部２２８１は、測定領域１０−１〜１０−５の全てについて、フリッカ値の統計量を算出していなと判断したとき（ステップＳ５５でＮｏ）、ｊ＝ｊ＋１、ｎ＝１を設定する（ステップＳ５６）。これにより、次の測定領域１０について、ステップＳ５１〜ステップＳ５５の処理がされる。ここでは、２番目の測定領域１０（測定領域１０−２）が対象となる。
【００８５】
算出部２２８１は、測定領域１０−１〜１０−５の全てについて、フリッカ値の統計量を算出したと判断したとき（ステップＳ５５でＹｅｓ）、生成部２２８２は、測定領域１０−１〜１０−５のそれぞれに関するフリッカ値の統計量を示すグラフを生成する（ステップＳ５７）。出力部２２８３は、生成部２２８２によって生成されたグラフを出力する（ステップＳ５８）。
【００８６】
図１７は、第２変形例において、生成部２２８２によって生成されたグラフの一例を説明する説明図である。このグラフは、箱ひげ図である。測定領域１０−１〜１０−５のうち、測定領域１０−１〜１０−３について、フリッカ値の統計量が示され、測定領域１０−４〜１０−５について、フリッカ値の統計量が省略されている。測定領域１０−３のフリッカ値のばらつきが大きいことが分かる。
【００８７】
第２変形例によれば、ＤＵＴ画面１に設定された測定領域１０−１〜１０−５のそれぞれについて、フリッカ値の統計量を示すグラフを出力する。従って、ＤＵＴ画面１の開発者、設計者、製造者等は、これを参考にして、ＤＵＴ画面１の開発、設計、製造等をすることができる。
【００８８】
（実施形態の纏め）
実施形態の第１局面に係るフリッカ測定装置は、
フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行する第１の処理部と、
前記第１の処理部によって算出された複数の前記測定領域のそれぞれの前記フリッカ値で構成されるデータと、前記測定条件と、を紐付けた紐付けデータを生成する第２の処理について、複数の前記測定条件のそれぞれに対して実行する第２の処理部と、
前記第２の処理部によって生成された前記紐付けデータを、紐付けデータ記憶部に記憶させる第３の処理について、複数の前記測定条件のそれぞれに対して実行する第３の処理部と、を備える。
【００８９】
フリッカ測定装置は、スポット型のフリッカ測定装置でもよいし、二次元フリッカ測定装置でもよい。測定条件記憶部および紐付けデータ記憶部は、フリッカ測定装置に備えられていてもよいし、別の装置（例えば、フリッカ測定装置と通信可能なコンピュータ装置）に備えられていてもよい。
【００９０】
測光量は、輝度および画像情報信号を総称する物理量である。輝度は、視感度曲線Ｖ（λ）の分光感度特性を持つ二次元撮像素子またはプローブが測定したＤＵＴ画面の光強度である。画像情報信号は、任意の分光感度特性を持つ二次元撮像素子がＤＵＴ画面を撮影することにより、二次元撮像素子が生成する光強度信号（ＲＡＷ画像データ）である。
【００９１】
紐付けデータは、フリッカの測定条件の下で測定された、測定対象物に設定された複数の測定領域のそれぞれのフリッカ値と、その測定条件と、を紐付けたデータである。実施形態の第１局面に係るフリッカ測定装置は、複数の測定条件のそれぞれについて、紐付けデータを生成し、これらの紐付けデータを紐付けデータ記憶部に記憶させる。従って、実施形態の第１局面に係るフリッカ測定装置によれば、フリッカのムラの評価に必要なデータが増えても、これを効率的に管理することができる。
【００９２】
上記構成において、前記フリッカ測定装置は、二次元撮像素子を含む撮影部を備える二次元フリッカ測定装置であり、前記第１の処理部は、前記撮影部が前記測定対象物を撮影することにより得られる前記測定対象物の測光量を基にして、前記測定対象物に設定された複数の前記測定領域のぞれぞれの前記フリッカ値を算出する。
【００９３】
二次元フリッカ測定装置は、フリッカ測定用に製作された装置でもよいし、フリッカ測定用のプログラムがインストールされているコンピュータ装置（例えば、パーソナルコンピュータ、タブレット端末、スマートフォン）でもよい。前者の場合、装置に内蔵されている撮影部（カメラ）が測定対象物を撮影する。後者の場合、コンピュータ装置に外付けされた撮影部（カメラ）が測定対象物を撮影する。
【００９４】
上記構成において、前記測定条件は、フリッカ測定用の第１の画像を前記測定対象物に表示させるのに用いられる表示条件と、前記撮影部が前記第１の画像を表示している前記測定対象物を撮影して得られた第２の画像を基にして、前記フリッカ値を算出するのに用いられる算出条件と、を含む。
【００９５】
第１の画像は、テストパターン、表示パターンと言い換えることができる。表示条件は、例えば、測定対象物が第１の画像を表示するのに用いられる駆動周波数および共通電圧、並びに、第１の画像の定義を含む。算出条件は、例えば、複数の測定領域のそれぞれの位置およびサイズ、並びに、測定対象物に表示された第１の画像の撮影間隔および撮影枚数を含む。
【００９６】
実施形態の第２局面に係るフリッカ測定方法は、
フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行する第１の処理ステップと、
前記第１の処理ステップによって算出された複数の前記測定領域のそれぞれの前記フリッカ値で構成されるデータと、前記測定条件と、を紐付けた紐付けデータを生成する第２の処理について、複数の前記測定条件のそれぞれに対して実行する第２の処理ステップと、
前記第２の処理ステップによって生成された前記紐付けデータを、紐付けデータ記憶部に記憶させる第３の処理について、複数の前記測定条件のそれぞれに対して実行する第３の処理ステップと、を備える。
【００９７】
実施形態の第２局面に係るフリッカ測定方法は、実施形態の第１局面に係るフリッカ測定装置を方法の観点から規定しており、実施形態の第１局面に係るフリッカ測定装置と同様の作用効果を有する。
【００９８】
実施形態の第３局面に係るフリッカ測定プログラムは、
フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行する第１の処理ステップと、
前記第１の処理ステップによって算出された複数の前記測定領域のそれぞれの前記フリッカ値で構成されるデータと、前記測定条件と、を紐付けた紐付けデータを生成する第２の処理について、複数の前記測定条件のそれぞれに対して実行する第２の処理ステップと、
前記第２の処理ステップによって生成された前記紐付けデータを、紐付けデータ記憶部に記憶させる第３の処理について、複数の前記測定条件のそれぞれに対して実行する第３の処理ステップと、をコンピュータに実行させる。
【００９９】
実施形態の第３局面に係るフリッカ測定プログラムは、実施形態の第１局面に係るフリッカ測定装置をプログラムの観点から規定しており、実施形態の第１局面に係るフリッカ測定装置と同様の作用効果を有する。
【０１００】
実施形態の第４局面に係るフリッカ評価支援装置は、
紐付けデータ記憶部に記憶されている紐付けデータを基にして、フリッカの評価を支援するフリッカ評価支援装置であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援装置は、
複数の前記測定対象物のそれぞれから得られた、複数の前記測定条件のそれぞれに関する前記紐付けデータを基にして、複数の前記測定条件のそれぞれについて、前記フリッカ値の統計量を算出する算出部と、
複数の前記測定条件のそれぞれについて、前記算出部によって算出された前記統計量を示すグラフを生成する生成部と、
前記生成部によって生成された前記グラフを出力する出力部と、を備える。
【０１０１】
フリッカ値の統計量を示すグラフは、例えば、箱ひげ図、Ｘｂａｒ−Ｒ管理図である。実施形態の第４局面に係るフリッカ評価支援装置によれば、複数の測定条件のそれぞれについて、フリッカ値の統計量を示すグラフを出力する。従って、測定対象物の開発者、設計者、製造者等は、これを参考にして、測定対象物の開発、設計、製造等をすることができる。
【０１０２】
実施形態の第５局面に係るフリッカ評価支援方法は、
紐付けデータ記憶部に記憶されている紐付けデータを基にして、フリッカの評価を支援するフリッカ評価支援方法であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援方法は、
複数の前記測定対象物のそれぞれから得られた、複数の前記測定条件のそれぞれに関する前記紐付けデータを基にして、複数の前記測定条件のそれぞれについて、前記フリッカ値の統計量を算出する算出ステップと、
複数の前記測定条件のそれぞれについて、前記算出ステップによって算出された前記統計量を示すグラフを生成する生成ステップと、
前記生成ステップによって生成された前記グラフを出力する出力ステップと、を備える。
【０１０３】
実施形態の第５局面に係るフリッカ評価支援方法は、実施形態の第４局面に係るフリッカ評価支援装置を方法の観点から規定しており、実施形態の第４局面に係るフリッカ評価支援装置と同様の作用効果を有する。
【０１０４】
実施形態の第６局面に係るフリッカ評価支援プログラムは、
紐付けデータ記憶部に記憶されている紐付けデータを基にして、フリッカの評価を支援するフリッカ評価支援プログラムであって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援プログラムは、
複数の前記測定対象物のそれぞれから得られた、複数の前記測定条件のそれぞれに関する前記紐付けデータを基にして、複数の前記測定条件のそれぞれについて、前記フリッカ値の統計量を算出する算出ステップと、
複数の前記測定条件のそれぞれについて、前記算出ステップによって算出された前記統計量を示すグラフを生成する生成ステップと、
前記生成ステップによって生成された前記グラフを出力する出力ステップと、をコンピュータに実行させる。
【０１０５】
実施形態の第６局面に係るフリッカ評価支援プログラムは、実施形態の第４局面に係るフリッカ評価支援装置をプログラムの観点から規定しており、実施形態の第４局面に係るフリッカ評価支援装置と同様の作用効果を有する。
【０１０６】
実施形態の第７局面に係るフリッカ評価支援装置は、
紐付けデータ記憶部に記憶されている紐付けデータを基にして、フリッカの評価を支援するフリッカ評価支援装置であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援装置は、
複数の前記測定対象物のそれぞれから得られた、複数の前記測定条件のそれぞれに関する前記紐付けデータを基にして、複数の前記測定領域のそれぞれについて、前記フリッカ値の統計量を算出する算出部と、
複数の前記測定領域のそれぞれについて、前記算出部によって算出された前記統計量を示すグラフを生成する生成部と、
前記生成部によって生成された前記グラフを出力する出力部と、を備える。
【０１０７】
フリッカ値の統計量を示すグラフは、例えば、箱ひげ図、Ｘｂａｒ−Ｒ管理図である。実施形態の第７局面に係るフリッカ評価支援装置によれば、測定対象物に設定された複数の測定領域のそれぞれについて、フリッカ値の統計量を示すグラフを出力する。従って、測定対象物の開発者、設計者、製造者等は、これを参考にして、測定対象物の開発、設計、製造等をすることができる。
【０１０８】
実施形態の第８局面に係るフリッカ評価支援方法は、
紐付けデータ記憶部に記憶されている紐付けデータを基にして、フリッカの評価を支援するフリッカ評価支援方法であって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援方法は、
複数の前記測定対象物のそれぞれから得られた、複数の前記測定条件のそれぞれに関する前記紐付けデータを基にして、複数の前記測定領域のそれぞれについて、前記フリッカ値の統計量を算出する算出ステップと、
複数の前記測定領域のそれぞれについて、前記算出ステップによって算出された前記統計量を示すグラフを生成する生成ステップと、
前記生成ステップによって生成された前記グラフを出力する出力ステップと、を備える。
【０１０９】
実施形態の第８局面に係るフリッカ評価支援方法は、実施形態の第７局面に係るフリッカ評価支援装置を方法の観点から規定しており、実施形態の第７局面に係るフリッカ評価支援装置と同様の作用効果を有する。
【０１１０】
実施形態の第９局面に係るフリッカ評価支援プログラムは、
紐付けデータ記憶部に記憶されている紐付けデータを基にして、フリッカの評価を支援するフリッカ評価支援プログラムであって、
前記紐付けデータ記憶部に記憶されている前記紐付けデータは、
前記フリッカの測定条件の下で測定対象物から得られる前記測定対象物の測光量を基にして、前記測定対象物に設定された複数の測定領域のそれぞれのフリッカ値を算出する第１の処理について、測定条件記憶部に予め記憶されている複数の前記測定条件のそれぞれに対して実行され、
前記第１の処理によって算出された複数の前記測定領域のそれぞれの前記フリッカ値で構成されるデータと、前記測定条件と、を紐付けた前記紐付けデータを生成する第２の処理について、複数の前記測定条件のそれぞれに対して実行され、
前記第２の処理によって生成された前記紐付けデータを、前記紐付けデータ記憶部に記憶させる第３の処理について、複数の前記測定条件のそれぞれに対して実行されて得られ、
前記フリッカ評価支援プログラムは、
複数の前記測定対象物のそれぞれから得られた、複数の前記測定条件のそれぞれに関する前記紐付けデータを基にして、複数の前記測定領域のそれぞれについて、前記フリッカ値の統計量を算出する算出ステップと、
複数の前記測定領域のそれぞれについて、前記算出ステップによって算出された前記統計量を示すグラフを生成する生成ステップと、
前記生成ステップによって生成された前記グラフを出力する出力ステップと、をコンピュータに実行させる。
【０１１１】
実施形態の第９局面に係るフリッカ評価支援プログラムは、実施形態の第７局面に係るフリッカ評価支援装置をプログラムの観点から規定しており、実施形態の第７局面に係るフリッカ評価支援装置と同様の作用効果を有する。
【０１１２】
本発明の実施形態が詳細に図示され、かつ、説明されたが、それは単なる図例及び実例であって限定ではない。本発明の範囲は、添付されたクレームの文言によって解釈されるべきである。
【０１１３】
２０１８年１０月１７日に提出された日本国特許出願特願２０１８−１９５６２４は、その全体の開示が、その全体において参照によりここに組み込まれる。
【産業上の利用可能性】
【０１１４】
本発明によれば、フリッカ測定装置、フリッカ測定方法、フリッカ測定プログラム、フリッカ評価支援装置、フリッカ評価支援方法およびフリッカ評価支援プログラムを提供することができる。
【図１】
2020079946.tif 000003
【図２】
2020079946.tif 000004
【図３】
2020079946.tif 000005
【図４】
2020079946.tif 000006
【図５】
2020079946.tif 000007
【図６】
2020079946.tif 000008
【図７】
2020079946.tif 000009
【図８】
2020079946.tif 000010
【図９】
2020079946.tif 000011
【図１０】
2020079946.tif 000012
【図１１】
2020079946.tif 000013
【図１２】
2020079946.tif 000014
【図１３】
2020079946.tif 000015
【図１４】
2020079946.tif 000016
【図１５】
2020079946.tif 000017
【図１６】
2020079946.tif 000018
【図１７】
2020079946.tif 000019
【国際調査報告】
2020079946.tif 000020
2020079946.tif 000021
2020079946.tif 000022
2020079946.tif 000023